(57)【要約】【課題】  網戸張替え時、余った網のカットがゴムの押し込みと一緒に出来るように、網戸ローラーにカッター部を設けて網戸張替えを簡単にする、網戸ローラーを、提供する。【解決手段】  網戸ローラー本体（１）の後部に網をカットするロータリーカッター（３）を４５度程度の角度を付けて取り付ける。これに押えゴムサイズや溝に合わせて調整出来るスペーサー（５）が付いている事を特徴とする。本発明は、以上の構成よりなる網戸ローラーカッターである。【選択図】図２
2018083029.tif 000002
【特許請求の範囲】
【請求項１】
網戸ローラー本体（１）の後部に、網をカットするロータリーカッター（３）を、角度を付けて設け、これに押えゴムサイズや溝に合わせて調整出来るスペーサー（５）を設ける事を特徴とする網戸ローラーカッター。
【請求項２】
網戸ローラー本体（１）の後部に、網をカットするスペーサー付きロータリーカッター（１３）を、角度を付けて設ける。前記のロータリーカッターと平面スペーサーを接合させた形状の請求項１の網戸ローラーカッター。
【請求項３】
網戸ローラー本体（１）の後部に、網をカットするロータリーカッター（３）と回転させると出てくるカッター（１５）により押えゴムの押し込み時に余分な網（１１）をカットカットしながら作業する方法。
【発明の詳細な説明】
【技術分野】
【０００１】  本発明は、網戸ローラーで押えゴムを押し込み固定しながら、網戸をカットする事が出来る工具に関するものである。
【背景技術】
【０００２】  従来、網戸ローラーとカッターは、別のタイミングで使っていた。
【先行技術文献】
【特許文献】
【０００３】
【特許文献１】特開２０１４−２００６６５
【発明の概要】
【発明が解決しようとする課題】
【０００４】  網戸の張替えは、網戸枠に網を網戸クリップなどで仮固定し、押えゴムを網戸ローラーで溝に押し込む、全体の押し込みが終了した後に、カッターで余分な部分を一周カットする一連の作業が必要で有った。
【課題を解決するための手段】
【０００５】  網戸ローラー本体（１）の後部に網をカットするロータリーカッター（３）を４５度程度の角度を付けて取り付ける。これに押えゴムサイズや溝に合わせて調整出来るスペーサー（５）が付いている。
本発明は、以上の構成よりなる網戸ローラーカッターである。
【発明の効果】
【０００６】  本発明による網戸ローラーカッターは、押えゴム（１２）を押し込んで固定しながら網（１１）をカットする事が出来る。また、網（１１）をカットしない時は、後部のロータリーカッター（３）を少し持ち上げると、押えローラー（２）のみ使用する事が出来る。
【図面の簡単な説明】
【０００７】
【図１】  本発明に係る側面図である。
【図２】  本発明に係る実施例１のＡからの断面分解図である。
【図３】  本発明に係る実施例１のスペーサーの側面図である。
【図４】  本発明に係る実施例２のＡからの断面図である
【図５】  本発明に係る実施例２の使用時の断面図である。
【図６】  本発明に係る実施例２のスペーサー付きロータリーカッターである。イは太い押えゴム用、ロは細い押えゴム用で有る。
【図７】  本発明に係る実施例３の側面図
【図８】  本発明に係る実施例３の使用時の側面図
【図９】  本発明に係る実施例３のＣからの断面図である。
【図１０】  本発明に係る実施例３のＤからの断面図である。
【発明を実施するための形態】
【実施例１】
【０００８】  この網戸ローラーカッターは、押えゴム（１２）を押し込む押えローラー（２）と網をカットするロータリーカッター（３）からなる。この網戸ローラーカッターは、本体（１）の押えローラー（２）の後部に、４５°程度の角度でロータリーカッター（３）とスペーサー（５）を固定ネジ（６）で固定した構造になっている。また、安全のためカッターカバー（４）でロータリーカッター（３）に手が触れないようにしている。スペーサー（５）はロータリーカッター（３）より少し小さい円形をしており、角度によって厚みに違いを設けている。このスペーサー（５）は、調整爪（７）により角度を固定する事が出来る。細い押えゴム（１２）の時には薄い部分が下になるように取り付ける。太い押えゴム（１２）の時には、厚い部分が下になるように取り付け、固定ネジ（６）で固定して使用する。このスペーサー（５）を調整する事により押えゴム（１２）のサイズに合わせる事が出来る。使い方としては、押えローラー（２）で押えゴムを押し込み、ロータリーカッター（３）が入るようになったら、ゴムを押えながら網（１１）をカットして進む事が出来る。
【実施例２】
【０００９】  この網戸ローラーカッターは、押えゴム（１２）を押し込む押えローラー（２）と網をカットするスペーサー付きロータリーカッター（１３）からなる。この網戸ローラーカッターは、本体の押えローラー（２）の後部に、４５°程度の角度で固定軸（８）が固定されており、スペーサー付きロータリーカッター（１３）の脱落防止のためのマグネット（９）が付いている。このスペーサー付きロータリーカッター（１３）は、押えゴム（１２）のサイズ合わせて大きい押えゴム（１２）の時には、スペーサーの厚いスペーサー付きロータリーカッター（１３）を使う。また細い押えゴム（１２）の時には、薄いスペーサー付きロータリーカッター（１３‘）を使うことで、網を適正な位置でカットする事が出来る。ロータリーカッター（１３）は、４５度程度の傾斜が有るのでスペーサーが網をスライドし、ロータリーカッターに力が伝わり網をスムーズにカットする事が出来る。【００１０】  図６のイは押えゴムの大きいサイズ用、ロは押えゴムの細いサイズ用のスペーサー付きロータリーカッターで有る。
【実施例３】
【００１１】  この網戸ローラーカッターは、押えゴム（１２）を押し込む押えローラー（２）と網をカットするロータリーカッター（３）からなり、網戸の角をカットするためのカッター（１４）が、スライドして出て来る構造になっている。押えローラー（２）で押えゴム（１２）を押し込み、ロータリーカッター（３）でカットして行く。ロータリーカッターは、円形であるため角の網まではカットしずらい。この時、図７のカッター（１４）を内蔵した形状の網戸ローラーカッターは、図８のように本体をＢ方向に回転させる事で、下に落ちるようにカッター（１４）が出てくる。カッター（１４）は、カッター止め（１５）で所定の位置で止まる。このカッター（１４）の裏と本体（１）の間には滑り止め（１６）が付いていて、カッター（１４）が作業時に戻りにくいようになっている。カッターの刃先（１７）が切れなくなったら刃先（１７）を折って、カッターレバー（１８）で刃先（１７）を調整出来る。
【符号の説明】  １  本体
２  押えローラー
３  ロータリーカッター
４  カッターカバー
５  スペーサー
６  固定ネジ
７  調整爪
８  固定軸
９  マグネット
１０  サッシ枠断面
１１  網
１２  押えゴム
１３  スペーサー付きロータリーカッター
１４  カッター
１５  カッター止め
１６  滑り止め
１７  カッター刃先
１８  カッターレバー
【図１】
2018083029.tif 000003
【図２】
2018083029.tif 000004
【図３】
2018083029.tif 000005
【図４】
2018083029.tif 000006
【図５】
2018083029.tif 000007
【図６】
2018083029.tif 000008
【図７】
2018083029.tif 000009
【図８】
2018083029.tif 000010
【図９】
2018083029.tif 000011
【図１０】
2018083029.tif 000012